(57)【要約】【課題】打球時の衝撃を緩和し、高さを調整可能なゴルフボールティー。【解決手段】メインティー10及びサブティー20を備え、メインティー10及びサブティー20は、第一軟性ブラケット11及び第二軟性ブラケット21にそれぞれメインペグ13及びサブペグ22を嵌合して一体成形してなり、メインティー10頂端に設けた載置フランジ１１０中央の挿入穴111にサブティー20のサブペグ22を挿入して緊密に結合可能とすると共に該サブティー20頂端にも載置フランジ210を設け、メインティー10及びサブティー20をテザー３０で接続したことにより、メインティー10及びサブティー20単独、及びこれらを組み合わせた高さにボールをセット可能とし、テザーにより接続された一方のペグを地中に挿入しておくことにより、打撃に際して飛ばされたティーを容易に回収可能とする。【選択図】図１
0003194655.tif 000002
【実用新案登録請求の範囲】
【請求項１】
メインティー及びサブティー及びテザーから構成され、
上記メインティーは、
頂部に載置フランジを設けた弾性材料からなる第一軟性ブラケット、及びメインペグからなり、
該メインペグ頂部には段部を形成する嵌接段を設けると共に該嵌接段には少なくとも1個の嵌溝を設けて、第一軟性ブラケットをメインペグ上方に被せて一体に形成し、
該メインペグの嵌接段の底端には軸方向に地面に突き刺す主釘部を延長形成し、
また、該第一軟性ブラケットの頂端に軸方向に挿入穴を形成し、
上記サブティーは、
頂部に載置フランジを設けた弾性材料からなる第二軟性ブラケット、及びサブペグからなり、
該サブペグ頂部には段部を形成する嵌接段を設けると共に該嵌接段には少なくとも1個の嵌溝を設けて、第一軟性ブラケットをサブペグ上方に被せて一体に形成し、
該サブペグ嵌接段の底端には副釘部を軸方向に延長形成して、該該副釘部を上記メインティーの第一軟性ブラケットの挿入穴中に挿入して設置可能とし、
上記メインティーとサブティーとの間を上記テザーにより連接した、
ことを特徴とする一体軟性ブラケットを備えたゴルフボールティー。
【請求項２】
前記メインティーのメインペグの嵌接段頂端には、凹穴を陥没状に設け、
該嵌接段の外縁と該凹穴の穴壁上に、前記嵌溝をそれぞれ設けたことを特徴とする請求項１に記載の一体軟性ブラケットを備えたゴルフボールティー。
【請求項３】
前記メインペグの嵌接段外縁には、径方向に嵌孔を貫通状に設けて、該第一軟性ブラケットの一体成形時に、該各嵌孔中に嵌入されることを特徴とする請求項１或いは２に記載の一体軟性ブラケットを備えたゴルフボールティー。
【請求項４】
前記第一軟性ブラケットの挿入穴の孔壁周縁には、凸条からなる束緊部を形成し、これにより挿入されたサブティーの副釘部を挟持することを特徴とする請求項１に記載の一体軟性ブラケットを備えたゴルフボールティー。
【請求項５】
前記束緊部は、環状或いは螺旋状を呈することを特徴とする請求項４に記載の一体軟性ブラケットを備えたゴルフボールティー。
【請求項６】
前記サブペグの嵌接部頂端には、凹穴部を陥没状に設けると共に、該嵌接部の外縁と該凹穴部の穴壁上には、前記嵌溝をそれぞれ設置することを特徴とする請求項１に記載の一体軟性ブラケットを備えたゴルフボールティー。
【請求項７】
前記サブペグの嵌接部外縁には、径方向に嵌孔を貫通状に形成して該第二軟性ブラケットの一体成形時に、該各嵌孔中に嵌入せしめることを特徴とする請求項１或いは６に記載の一体軟性ブラケットを備えたゴルフボールティー。
【請求項８】
前記メインティー及びサブティーは、テザー孔をそれぞれ貫通状に設けて前記テザーを通して締結して該サブティーとメインティーを連結することを特徴とする請求項１に記載の一体軟性ブラケットを備えたゴルフボールティー。
【請求項９】
前記メインティーのテザー孔は、該主釘部より進入後、該第一軟性ブラケットの前記挿入穴を貫通し、
該サブティーのテザー孔は、該副釘部に進入後、該第二軟性ブラケットを貫通することを特徴とする請求項８に記載の一体軟性ブラケットを備えたゴルフボールティー。
【請求項１０】
前記一体軟性ブラケットを備えたゴルフボールティーはさらに、包装容器を備え、
該包装容器は、缶体及び蓋体からなり、
該缶体は置入口を設けた収容設置室を備えて、該該収容設置室内に前記メインティー及びサブティーを収納して置入口を蓋体により蓋をすることを特徴とする請求項１に記載の一体軟性ブラケットを備えたゴルフボールティー。
【請求項１１】
前記収容設置室の底端には、凹部を設けて前記メインペグの底端を当接して収納し、
前記蓋体底部には、突部を突出状に設けて前記サブティーの第二軟性ブラケットの頂端に当接することにより、該メインティー及びサブティーを該収容設置室底端の凹部と該蓋体底部の突部の間に安定的に挟持することを特徴とする請求項１０に記載の一体軟性ブラケットを備えたゴルフボールティー。
【請求項１２】
前記メインペグの主釘部或いは前記サブペグの副釘部の外周には、軸方向に少なくとも１個の凹溝を設けたことを特徴とする請求項１に記載の一体軟性ブラケットを備えたゴルフボールティー。
【請求項１３】
前記メインペグの嵌溝中には、支柱を立てて設置し、
これにより、該第一軟性ブラケットの成形時には、該嵌溝中に嵌めて入れられ、該支柱を包囲することを特徴とする請求項１に記載の一体軟性ブラケットを備えたゴルフボールティー。
【請求項１４】
前記サブペグの嵌溝中には、支柱を立設し、
前記第二軟性ブラケットの一体成形時に該支柱を包囲して該嵌溝中に充填されることを特徴とする請求項１に記載の一体軟性ブラケットを備えたゴルフボールティー。
【請求項１５】
前記包装容器の蓋体と前記サブティー頂部間には、ゴルフボールマーカーを挟持することを特徴とする請求項１０に記載の一体軟性ブラケットを備えたゴルフボールティー。
【考案の詳細な説明】
【技術分野】
【０００１】
本考案は、一体軟性ブラケットを備えたゴルフボールティーに関し、特にメインティーとサブティーは、第一軟性ブラケットと第二軟性ブラケットに一体に嵌合され、これにより第一、二軟性ブラケットの、メインティー或いはサブティーからの離脱と外への飛び出し
効果的に防止できる他、第一、二軟性ブラケットにより、ボールを打つ時の衝撃力を緩衝、吸収でき、メインティー或いはサブティーの断裂を回避できる一体軟性ブラケットを備えたゴルフボールティーに関する。
【背景技術】
【０００２】
現在、ゴルフに用いられるティー(Tee)は、通常は、プラスチック材料により一体成形され、釘部及びボール載置部を備える。
使用時には、釘部を地中に挿し込み、該ボール載置部にゴルフボールを載置し、こうしてプレーヤーはショットすることができる。
【０００３】
プレーヤーがボールを打つ瞬間、ティーは極めて大きな反作用力を生じる。
或いは、クラブが該ボール載置部を打つと、該ティーに対して、極めて大きな衝撃力を生じる。
これにより、該ティーは断裂或いは損壊を生じる。
【０００４】
従来の構造である特許文献１に示す「ゴルフティーの構造」は、ティー釘と柱状を呈するティー台を備える。
該ティー釘末端には、釘部を備え、頂端には、釘頭を備える。
釘部と釘頭との間には、釘棒を連接し、且つ、釘頭頂面には、陥没したボール載置面を形成する。
該ティー台は、軟質材質で、且つ、その一端は内側へと陥没し、第一結合孔を設置し、反対端も内側へと陥没して第二ボール載置面を形成する。
第一結合孔と第二ボール載置面との間には、内部が実心構造の中段部を備える。
第一結合孔は、釘頭と緊密に対応し、これによりティー台は、第一結合孔により、ティー釘の釘頭と、取り外し可能状に結合する。
【０００５】
上述の構造において、使用者は、ティー釘上に軟性材質のティー台を嵌めて設置することで、ゴルフボールを支えることができる。
さらに、該軟性材質のティー台は、ボールを打つ時にティー釘に対して生じる作用力を緩衝し、該ティー釘の断裂を回避することができる。
【０００６】
しかし、上述の構造では、ゴルフボールを載せるティー台は、嵌接方式でティー釘上に設置するため、両者は簡単に離れてしまう。
使用者がボールを打つ瞬間の作用力或いは反作用力は極めて大きいため、ボールを打つ度に、該ティー台は、該ティー釘上から離脱し外へと飛び出す。
そのため、使用者はボールを打つ度に、該ティー台とティー釘を改めて嵌めて組み立てる必要があり、使用において不便である。
【０００７】
また、該ティー台とティー釘とを頻繁に組み立て、分離することで、該ティー台を該ティー釘上に緊密に嵌められなくなり、使用寿命に悪影響を及ぼす。
本考案は、従来のゴルフボールティーの上記した欠点に鑑みてなされたものである。
【先行技術文献】
【特許文献】
【０００８】
【特許文献１】台湾実用新案申請案第０９９２０７７５８号
【特許文献２】特公表８−５１１４５５号公報
【特許文献３】実開平２−７４０７０号公報
【考案の概要】
【考案が解決しようとする課題】
【０００９】
本考案が解決しようとする課題は、ボールを打つ時の作用力を緩衝、吸収でき、メインティー或いはサブティーの断裂を回避できる一体軟性ブラケットを備えたゴルフボールティーを提供することである。
【課題を解決するための手段】
【００１０】
上記課題を解決するため、本考案は下記の一体軟性ブラケットを備えたゴルフボールティーを提供する。
一体軟性ブラケットを備えたゴルフボールティーは、メインティー、サブティー、テザーを備え、
該メインティーは、第一軟性ブラケット及びメインペグを備え、
該第一軟性ブラケットの底段部は、該メインペグ頂段部に位置する嵌接段を埋設し、
該嵌接段には、嵌溝を設置し、これにより該第一軟性ブラケットは成形時に、該嵌溝中に嵌めて入れることができ、該嵌接段と、一体に結合し、  
該嵌接段の外端には、軸方向に、主釘部を延伸し、且つ、該第一軟性ブラケットの頂端には、軸方向に、挿入穴を形成し、
該サブティーは、第二軟性ブラケット及びサブペグを備え、
該第二軟性ブラケットの底段部は、該サブペグの頂端に位置する嵌接部を嵌めて接続し、該嵌接部には、嵌溝を設置し、これにより該第二軟性ブラケットの成形時には、該嵌溝中に嵌めて入れることができ、該サブペグの嵌接部と、一体に結合し、
該嵌接部の外端には、副釘部を軸方向に延伸し、こうして該副釘部を該メインティーの第一軟性ブラケットの挿入穴中に挿入して設置でき、しかも該挿入穴は緊密に挟持することができ、
該テザーは、該メインティーとサブティーとの間に連接する。
【考案の効果】
【００１１】
本考案の一体軟性ブラケットを備えたゴルフボールティーは、メインティーとサブティーを第一軟性ブラケットと第二軟性ブラケットに一体に嵌合し、第一、二軟性ブラケットの、メインティー或いはサブティーからの離脱と外への飛び出しを効果的に防止でき、また第一、二軟性ブラケットによりボールを打つ時の作用力を緩衝、吸収でき、メインティー或いはサブティーの断裂を回避することができ、ティー台とティー釘とが分離し易いという従来の構造に存在する欠点を解決することができる。
【図面の簡単な説明】
【００１２】
【図１】本考案第一実施例の立体分解模式図である。
【図２】図１に示すメインペグの立体模式図である。
【図３】図１に示すメインティーの断面模式図である。
【図４】図１に示すサブペグの立体模式図である。
【図５】図１に示すサブティーの断面模式図である。
【図６】図１における組み立て完成後の立体模式図である。
【図７】図６の７―７位置における断面構造模式図である。
【図８】本考案において、メインティーにゴルフボールを載置する様子の応用状態図である。
【図９】本考案において、サブティーにゴルフボールを載置する様子の応用状態図である。
【図１０】本考案において、サブティーとメインティーとを組み合わせた後、サブティーにゴルフボールを載置する様子の応用状態図である。
【図１１】本考案第二実施例の分解模式図である。
【図１２】図１１に示すメインティーの立体模式図である。
【図１３】図１１の１３―１３位置における断面模式図である。
【図１４】図１１に示すサブティーの立体模式図である。
【図１５】図１４の１５−１５位置における断面模式図である。
【図１６】図１１に示す実施例を組合せ後の立体図である。
【考案を実施するための形態】
【００１３】
以下に図面を参照しながら本考案を実施するための最良の形態について詳細に説明する。
【実施例】
【００１４】
図１に示すように、本考案の一体軟性ブラケットを備えたゴルフボールティーは、メインティー10、サブティー20、及び該メインティー10と該サブティー20間をつなぐテザー30を備える。
【００１５】
図１〜３に示すように、本考案の一体軟性ブラケットを備えたゴルフボールティーにおいては、該メインティー10は、第一軟性ブラケット11及びメインペグ12を備える。
【００１６】
該第一軟性ブラケット11の底段部には、該メインペグ12頂段部に位置する嵌接段12aを埋設する。
【００１７】
該嵌接段12aには、嵌溝121を設置し、これにより該第一軟性ブラケット11は成形時に、該嵌溝121中に嵌めて入れることができ、該嵌接段12aと、一体に結合する。
【００１８】
該嵌接段12aの底端には、軸方向に、主釘部12bを延伸し、また、該第一軟性ブラケット11の頂端には、軸方向に、挿入穴111を形成する。
【００１９】
図１、４、５に示すように、本考案の一体軟性ブラケットを備えたゴルフボールティーのサブティー20は、第二軟性ブラケット21及びサブペグ22を備える。
【００２０】
該第二軟性ブラケット21は、該サブペグ22の頂端に位置する嵌接部22aを埋設する。
【００２１】
該嵌接部22aには、嵌溝221を設置し、これにより該第二軟性ブラケット21の成形時には、該嵌溝221中に嵌めて入れることができ、該サブペグ22の嵌接部と、一体に結合する。
【００２２】
該嵌接部22aの底端には、副釘部22bを軸方向に延伸し、こうして該副釘部22bを上記メインティー10の第一軟性ブラケット11の挿入穴111中に挿入して設置して、該挿入穴111により緊密に挟持することができる。
【００２３】
図２、３に示すように、本考案のメインティー10のメインペグ12の嵌接段12aの頂端には、凹穴122を陥没状に設置する。
【００２４】
該嵌接段12aの外縁と該凹穴122の穴壁上には、多数の嵌溝121をそれぞれ設置する。
【００２５】
これにより、該第一軟性ブラケット11の成形（射出成形する場合には）時、該各嵌溝121中に嵌め入れることができる。
【００２６】
本考案のメインペグ12は、該嵌接段12aにおいて径方向に嵌孔123を貫通状に設置する。
【００２７】
これにより、該第一軟性ブラケット11は成形時に、該各嵌孔123中に嵌め入れられ、こうして該第一軟性ブラケット11と該メインペグ12とは、緊密に一体に結合される。
【００２８】
図１１〜１３に示すように、該嵌接段12a外縁に位置する該各嵌溝121中には、支柱121aを立てて設置する。
【００２９】
これにより、第一軟性ブラケット11の成形時には、該嵌溝121中に嵌めて入れられ、該支柱121aを包囲し、該第一軟性ティー11と該メインペグ12は、安定して堅固な結合構造を形成する。
【００３０】
本考案の第一軟性ブラケット11は、陥没状に設置した挿入穴111の孔壁に、束緊部111aを設置し、内部に、該サブティー20の副釘部22bを緊密に包む。
【００３１】
上述の束緊部111aは、環状或いは螺旋状を呈して、該挿入穴111の穴壁上に成形するが、本考案はこれに限定するものではない。
【００３２】
本考案の一体軟性ブラケットを備えたゴルフボールティーにおいて、該第一軟性ブラケット11と第二軟性ブラケット21は、シリコン樹脂、ラバー、ウレタン樹脂、発泡材料等で製造するが、本考案はその材質をこれに限定するものではない。
【００３３】
図４、５に示すように、本考案のサブティー20の該サブペグ22の嵌接部22aの頂端には、凹穴部222を陥没状に設置し、該嵌接部22aの外縁と該凹穴部222の穴壁上には、多数の嵌溝221をそれぞれ設置する。
【００３４】
これにより、該第二軟性ブラケット21は成形（射出成形する場合には）時に、該各嵌溝221中に嵌め入れられる。
【００３５】
本考案のサブペグ22の嵌接部22aは、径方向に、嵌孔223を貫通状に設置し、これにより該第二軟性ブラケット21は成形時に、該各嵌孔223中に嵌め入れられ、該サブペグ22と緊密に一体に結合される。
【００３６】
図１１、１４、１５図に示すように、サブペグの該嵌接部22a外縁に位置する該各嵌溝221中には、支柱221aをそれぞれ立てて設置する。
【００３７】
これにより、第二軟性ブラケット21の成形時、該嵌溝221中に嵌め入れられ、該支柱221aを包囲する。
【００３８】
こうして、該第二軟性ティー21と該サブペグ22は、安定して堅固な結合構造を形成する。
【００３９】
図１、３、５図に示すように、本考案の一体軟性ブラケットを備えたゴルフボールティーの該メインティー10及びサブティー20には、テザー孔13、23をそれぞれ貫通状に設置し、これにテザー30を通した後結び、こうして該サブ、メインティー20、30を連結する。
【００４０】
該メインティー10のテザー孔13は、主釘部12bから進入後、該第一軟性ブラケット11の挿入穴111を貫通し、該サブティー20のテザー孔23は、副釘部22bから進入後、該第二軟性ブラケット21の中央凹孔を貫通する。
【００４１】
但し、本考案はこれに限定するものではなく、該テザー孔13或いは23は、該メインティー10或いはサブティー20の位置を貫通することもできる。
【００４２】
本考案の該第一、二軟性ブラケット11、21は、透明軟性材料で製造し、内部に嵌め入れられたメインペグ12或いはサブペグ22を外側から透視することができる。
【００４３】
本考案の一体軟性ブラケットを備えたゴルフボールティーの該第一、二軟性ブラケット11、21の頂端端面の周縁には、載置フランジ110、210をそれぞれ形成し、ゴルフボール50を安定的に載置することができる。
【００４４】
本考案の一体軟性ブラケットを備えたゴルフボールティーの該メインペグ12の主釘部12b或いは該サブペグ22の副釘部22bの周縁には、少なくとも１個の軸方向凹溝124或いは224をそれぞれ設置し、これにより該主釘部12b或いは副釘部22bをスムーズに土中に挿入することができる。
【００４５】
図１、６、７に示すように、本考案の一体軟性ブラケットを備えたゴルフボールティーはさらに、包装容器40を備え、缶体41及び蓋体42を備える。
【００４６】
該缶体41には、収容設置室411を設け、該収容設置室411には、置入口411aを設ける。
【００４７】
これにより、該蓋体42は、缶体の該置入口411aに蓋をし、該メインティー10及びサブティー20を、該包装容器40中に収納することができる。
【００４８】
上述の包装容器40の該収容設置室411の底端には、凹部412を設置し、これに該メインペグ12の底端を当接して収納する。
【００４９】
該蓋体42底部には、突部421を突出状に設置し、突部421は、該サブティー20の第二軟性ブラケット21頂端に当接し、これにより該メインティー10及びサブティー20を該収容設置室411底端の凹部412と該蓋体42底部の突部412との間に、安定的に挟持する。
【００５０】
本考案の包装容器40は、透明材料を用いて製造し、これにより消費者は透明の包装容器40を通して、内部に重なって收納されているサブ、メインティー20、10を透視でき、面白みを表現することができる。
【００５１】
図１１、１６に示すように、本考案は該包装容器40の蓋体42と該サブティー20との間に、ゴルフボールマーカー60を挟持することができる。
【００５２】
これにより、本考案は、包装容器40内のメインティー10或いはサブティー20によりボールを載置できる他、該ゴルフボールマーカー60により、ゴルフボールの位置を示すことができる。
【００５３】
使用者がゴルフをする時に必要な用具は、包装容器40内にまとめて収容され、携帯に便利である。
【００５４】
図８或いは図９に示すように、本考案の一体軟性ブラケットを備えたゴルフボールティーを使用する際には、さまざまな載置高さの該メインティー10或いはサブティー20を地面に挿し込んだ後、さまざまな高さでゴルフボール50を載置する。
【００５５】
図１０に示すように、本考案は、サブティー20の副釘部22bを、該メインティー10の挿入穴111中に挿入する。
【００５６】
該メインティー10の挿入穴111は、該サブティー20の副釘部22bを緊密に弾性挟持できるため、ゴルフボール50を、地面より高い位置にあるサブティー20の第二軟性ブラケット21上に安定的に載置でき、こうして異なるプレーヤー或いは現場の状況に応じて使用のニーズに符合させることができる。
【００５７】
本考案を応用する際には、該メインティー10及びサブティー20を共に地中に挿入して設置し、どちらかを選択してゴルフボール50を載置することができる。
【００５８】
例えば、メインティー10にゴルフボールを載置して使用者がボールを打った後、メインティー10が、地中から外れ外へと飛び出したとしても、該テザー30により該サブティー20に繋がれているため、該メインティー10はサブティー20の周囲に落下する。
【００５９】
こうして、使用者は簡単に拾って戻すことができ、ゴルフ場の汚れや汚染を回避することができる。
【００６０】
本考案の一体軟性ブラケットを備えたゴルフボールティーは、該メインティー10の第一軟性ブラケット11或いはサブティー20の第二軟性ブラケット21に、嵌溝121、221或いは支柱121a、221a等構造を設置するため、成形時に、直接該母ペグ12と第一軟性ブラケット11、サブペグ22と第二軟性ブラケット21とを、緊密に嵌合して一体結合させることができる。
【００６１】
よって、使用者がボールを打つ瞬間に生じる作用力或いは反作用力によっても、該第一、二軟性ブラケット11或いは21は脱落して飛び出しにくくなる。
【００６２】
該第一、二軟性ブラケット111、21は、シリコン樹脂、ラバー等の弾性材料を採用できるため、ボールを打つ瞬間に生じる作用力或いは反作用力を効果的に緩衝でき、該メインティー10或いはサブティー20に対する破壊を低減して、使用寿命を延長することができる。
【００６３】
上記の本考案名称と内容は、本考案技術内容の説明に用いたのみで、本考案を限定するものではない。本考案の精神に基づく等価応用或いはいは部品（構造）の転換、置換、数量の増減はすべて、本考案の保護範囲に含むものとする。
【産業上の利用可能性】
【００６４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００６５】
10  メインティー
11  第一軟性ブラケット
110  載置フランジ
111  挿入穴
111a  束緊部
12    メインペグ
12a  嵌接段
12b  主釘部
121  嵌溝
121a  支柱
122  凹穴
123  嵌孔
124  凹溝
13  テザー孔
20  サブティー 
21  第二軟性ブラケット
210  載置フランジ
22   サブペグ 
22a  嵌接部
22b  副釘部
221  嵌溝
212a  支柱
222  凹穴部
223  嵌孔 
224  凹溝
23  テザー孔
30  テザー
40  包装容器
41  缶体
411  収容設置室
411a  置入口
412  凹部
42  蓋体  
421  突部
50  ゴルフボール
60  ゴルフボールマーカー
【図１】
0003194655.tif 000003
【図２】
0003194655.tif 000004
【図３】
0003194655.tif 000005
【図４】
0003194655.tif 000006
【図５】
0003194655.tif 000007
【図６】
0003194655.tif 000008
【図７】
0003194655.tif 000009
【図８】
0003194655.tif 000010
【図９】
0003194655.tif 000011
【図１０】
0003194655.tif 000012
【図１１】
0003194655.tif 000013
【図１２】
0003194655.tif 000014
【図１３】
0003194655.tif 000015
【図１４】
0003194655.tif 000016
【図１５】
0003194655.tif 000017
【図１６】
0003194655.tif 000018